(57)【要約】      （修正有）【課題】衣服が形崩れしにくく、洗濯物の乾燥効率に優れた衣類洗濯物干し用ハンガーを提供する。【解決手段】空気の注排出口装置８を設け、中央に窓口７を備えた左右対称的なやや五角形輪郭形状の袋状のハンガー主体Ａａと該ハンガー主体Ａａの上縁中央部に連通させて突設した円筒状突出部Ａｂに物干し竿などに掛止するフック６を設ける。空気を注排出口を通じて注入することにより、人体のシルエットに近い形のハンガーが得られ、ハンガーに着せる状態なので、重みが分散しており、人体に合ったサイズに作られている衣類の乾燥操作時に起こりがちな型くずれやシワを守ることができる。また、ハンガー主体に窓口を設けてあることから、シャツ・セーターなどの乾燥物の前後の身頃部がお互いに付着することなく、洗濯物の前後に空気（風）が流通しやすく、乾燥を効率的に行うことができる。【選択図】図１
0003145037.tif 000002
【実用新案登録請求の範囲】
【請求項１】
適所に空気の注排出口装置を設け、中央に窓口を備えた左右対称的なやや五角形輪郭形状の袋状のハンガー主体と該ハンガー主体の上縁中央部に連通させて突設した円柱状突出部で成り、該円柱状突出部に物干し竿などに掛止するフックを設けると共に、前記ハンガー主体の内外の周縁に、該ハンガー主体を構成する合成樹脂シート同士の熔着継目を配設した、衣類洗濯物干し用ハンガー。
【請求項２】
ハンガー主体と円柱状突出部との熔着継目を備え、該熔着継目に前記円柱状突出部を取り囲み、使用時に該円柱状突出部の基部に圧接する補強片を連設した、請求項１記載の衣類洗濯物干し用ハンガー。
【考案の詳細な説明】
【技術分野】
【０００１】
本考案は水分を含んだ洗濯物を乾燥させる時に、衣類の型を崩さない為に用いる洗濯物干し用ハンガーに関するものである。
【背景技術】
【０００２】
洗濯物を乾燥させるために衣類用ハンガーが用いられるときがあるが、木製、樹脂製或いは金属製を問わず従来のハンガーは、いわば棒線状のものを屈曲状にしたものが一般である。
【考案の開示】
【考案が解決しようとする課題】
【０００３】
従って、従来型は人体のシルエットと相違して、前後の幅のほうが狭い為に水を含んだ洗濯物自身の重みが一部分にかかりすぎ、伸び・型くずれやシワをおこす。（のびる・よじれる）
また、衣類の前後の身頃部がお互いにくっついていて、該身頃部間の空気（風）の流通が損なわれ、過分の乾燥時間を必要としており、色移りの原因にもなっている。
【課題を解決するための手段】
【０００４】
適所に空気の注排出口装置を設け、中央に窓口を備えた左右対称的なやや五角形輪郭形状の袋状のハンガー主体と該ハンガー主体の上縁中央部に連通させて突設した円柱状突出部で成り、該円柱状突出部に物干し竿などに掛止するフックを設けると共に、前記ハンガー主体の内外の周縁に、該ハンガー主体を構成する合成樹脂シート同士の熔着継目を配設したことを基本的手段とし、この基本的手段にハンガー主体と円柱状突出部との熔着継目を備え、該熔着継目に前記円柱状突出部を取り囲み、使用時に該円柱状突出部の基部に圧接する補強片を連設した点を付加することにより、ハンガー主体に連通させて突設した円柱状突出部とハンガー主体と境界を角度を持たせた形にすることができるから、衣服の襟を組付け（ボタンする）作業を違和感なく行え、外観体裁も良好な物干し状態を得られる。
【考案の効果】
【０００５】
本考案は前記の通りの構成であるから、空気を注排出口を通じて注入することにより、人体のシルエットに近い形のハンガーが得られ、ハンガーに着せる状態なので、重みが分散しており、人体に合ったサイズに作られている衣類の乾燥操作時に起こりがちな型くずれやシワを守ることができる。また、ハンガー主体に窓口を設けてあることから、シャツ・セーターなどの乾燥物の前後の身頃部がお互いに付着することなく、洗濯物の前後に空気（風）が流通しやすく、乾燥を効率的に行うことができ、同時に色移りも防ぐことができる。さらに、熔着接目の存在により空気の注入量の相違と無関係に常に一定形を保持してシャツなどの衣類を保持できる。
【実施例】
【０００６】
図面は本考案に係る衣類洗濯物干し用ハンガーの一実施例を示し、図１は正面図、図２は側面図、図３は拡大縦断面図、図４は図１のｘ−ｘ線断面図である。
【０００７】
実施例の衣類洗濯物干し用ハンガーＡは、前構成片１、後構成片２、内周縁構成片３、突出部構成片４および挟持片５を互いに熔着した左右対称的なほぼ五角形輪郭形状の袋状のハンガー主体Ａａの上縁中央部（上縁中央の隅角部）に円柱状突出部Ａｂを連通させて突設し、該円柱状突出部Ａｂの上面に物干し竿などに掛止するためのフック６を設け、また、ハンガー主体Ａａの中央に窓口７を設けてハンガー主体Ａａの前後面間での空気の流通が容易に行えるようにすると共に、前記前構成片１の下部側一隅角部に空気の注排出口装置８を設け、該装置８によりハンガー主体Ａａおよびこれに連通する突出部Ａｂに空気を注入してハンガー主体Ａａの前記五角形輪郭形状および突出部Ａｂの円柱形状を保形（持）させるようにしたものである。
【０００８】
前記ハンガー主体Ａａは、前構成片１と後構成片２の外周縁同士を互いに熔着して形成した左右の肩部（上縁）熔着継目ａ，ａ、左右の側縁熔着継目ｂ，ｂおよび下縁熔着継目ｃを備え、前構成片１同士並びに後構成片２同士を互いに熔着して構成した前後一対の上奥行熔着継目ｄ，ｄおよび前後一対の下奥行熔着継目ｅ，ｅを備え、さらに、前後の構成片１，２と該構成片１，２間に介在させた内周縁構成片３を互いに熔着して形成した前後一対の内周縁熔着継目ｇ，ｇを備えたもので、前記上奥行熔着継目ｄ，ｄは前記肩部熔着継目ａと側部熔着継目ｂとの接続部ｐと一端を連続させ、他の一端は肩部熔着継目ａと側部熔着継目ｂとの間に配し、また、前記下奥行熔着継目ｅは側部熔着継目ｂと下縁熔着継目ｃとの接続部ｐ´と一端を連続させ、他の一端は側部熔着継目ｂと下縁熔着継目ｃとの間に配してあり、ハンガー主体Ａａに備えた互いに連続する外周縁の各継目ａ，ｂ，ｃによってハンガー主体Ａａのやや五角形輪郭形状が保形され、上下の奥行熔着継目ｄ，ｅと円周縁熔着継目ｇ，ｇ（乃至窓口７）の存在によってハンガー主体Ａａ厚さ（奥行幅）を一定形に（空気を注入することによって）に保形（持）することができる。
【０００９】
前記突出部Ａｂは突出部構成片４同士を互いに熔着して形成した一対の縦熔着継目ｈ，ｈにより円柱形状を維持するようにし、突出部構成片４の上部４´に芯材９を介して前記挟持片５を重ね合わせて互いに熔着して柱状突出部Ａｂの上面が平面形を維持するようにしてフック６の取付け状態に不都合が生じないようにしてある。
【００１０】
なお、各構成片１，２，３，４，５およびフック６は合成樹脂を素材としてあり、ｊはハンガー主体Ａａと円柱状突出部Ａｂとの熔着接目で、この熔着接目ｊに帯状の補強片１１を連設し、補強片１１は、使用時すなわち空気を注入した使用状態時としたとき、前記円柱状突出部Ａｂの基部を取り囲んで圧接され、突出部Ａｂと主体Ａａとの境界に角度を持たせ、衣服の襟を該突出部Ａｂを取り囲んで組付けるに違和感や支障ないようにし、しかも、人が身に付けていると同様に現出させることができることにより、尚一層の外観体裁の良好な物干し状態を得られるものである。
【図面の簡単な説明】
【００１１】
【図１】正面図。
【図２】側面図。
【図３】拡大縦断面図。
【図４】図１のｘ−ｘ線断面図。
【符号の説明】
【００１２】
Ａａ    ハンガー主体
Ａｂ    円柱状突出部
６      フック
７      窓口
８      注排出口装置
【図１】
0003145037.tif 000003
【図２】
0003145037.tif 000004
【図３】
0003145037.tif 000005
【図４】
0003145037.tif 000006